(57)【要約】【課題】発光素子からの直射光を投影レンズを介して灯具前方へ向けて照射するように構成された車両用灯具において、簡易な灯具構成によって光軸調整の有無にかかわらずロービーム用配光パターンを適正に形成可能とする。【解決手段】灯具ユニット２０の構成として、シェード８０をレンズホルダ６４と一体的に形成した上で、このレンズホルダ６４をランプボディ１２に取り付けられたヒートシンク３６に対して水平方向に延びる第１回動軸線Ａｘ１回りに回動可能に支持された構成とする。これにより、灯具ユニット２０の光軸調整を行っても投影レンズ６２とシェード８０との相対的な位置関係を一定にし、ロービーム用配光パターンを適正に形成可能とする。また、基板３４を介して発光素子３２を支持するヒートシンク３６の位置を固定したままの状態で、投影レンズ６２の回動によって光軸調整を行う構成とすることにより、灯具構成を簡素化する。【選択図】図１
2019207774.tif 000002
【特許請求の範囲】
【請求項１】
発光素子からの直射光を投影レンズを介して灯具前方へ向けて照射するように構成された車両用灯具において、
上記発光素子が搭載された基板を支持するヒートシンクを備えており、
上記ヒートシンクは、ランプボディに形成された開口部に取り付けられており、
上記発光素子と上記投影レンズとの間に、上記発光素子から上記投影レンズへ向かう下向きの直射光を遮光するシェードが配置されており、
上記シェードは、上記投影レンズを支持するレンズホルダと一体的に形成されており、
上記レンズホルダは、上記ヒートシンクに対して所要方向に延びる回動軸線回りに回動可能に支持されている、ことを特徴とする車両用灯具。
【請求項２】
上記回動軸線として、上記発光素子と上記シェードの前端縁との間における該シェードの前端縁寄りの位置を通るようにして水平方向に延びる第１回動軸線が設定されている、ことを特徴とする請求項１記載の車両用灯具。
【請求項３】
上記回動軸線として、上記第１回動軸線と直交するようにして鉛直方向に延びる第２回動軸線が設定されている、ことを特徴とする請求項２記載の車両用灯具。
【請求項４】
上記基板または上記ヒートシンクに、上記発光素子から上記投影レンズ以外の方向へ向かう直射光の一部を上記投影レンズへ向けて反射させるリフレクタが支持されている、ことを特徴とする請求項１〜３いずれか記載の車両用灯具。
【請求項５】
上記基板における上記発光素子の下方位置に第２発光素子が搭載されており、
上記第２発光素子は、該第２発光素子からの直射光を上記シェードの下方空間を通して上記投影レンズに入射させ得る位置に配置されている、ことを特徴とする請求項１〜４いずれか記載の車両用灯具。
【請求項６】
上記基板または上記ヒートシンクに、上記第２発光素子から上記投影レンズ以外の方向へ向かう直射光の一部を上記投影レンズへ向けて反射させる第２リフレクタが支持されている、ことを特徴とする請求項５記載の車両用灯具。
【発明の詳細な説明】
【技術分野】
【０００１】
本願発明は、発光素子からの直射光を投影レンズを介して灯具前方へ向けて照射するように構成された車両用灯具に関するものである。
【背景技術】
【０００２】
従来より、車両用灯具の構成として、発光素子からの直射光を投影レンズを介して灯具前方へ向けて照射するように構成されたものが知られている。
【０００３】
「特許文献１」には、このような車両用灯具の構成として、発光素子が搭載された基板を支持するヒートシンクに対して、投影レンズが水平方向に延びる回動軸線回りに回動可能に支持されたものが記載されている。
【０００４】
一方「特許文献２」には、リフレクタで反射した発光素子からの光を、投影レンズを介して灯具前方へ向けて照射するように構成された複数の灯具ユニットを備えた車両用灯具が記載されている。この車両用灯具においては、複数の灯具ユニットが共通のブラケットに支持された構成となっており、その上で各灯具ユニット相互間における光軸の微調整を行うための機構が設けられた構成となっている。
【先行技術文献】
【特許文献】
【０００５】
【特許文献１】特開２０１３−１６１５３６号公報
【特許文献２】特開２００５−１６６５９０号公報
【発明の概要】
【発明が解決しようとする課題】
【０００６】
上記「特許文献１」に記載された車両用灯具においては、ヒートシンクの位置を固定したままの状態で、投影レンズを回動させることによって上下方向の光軸調整を行うことができるので、灯具構成を簡素化することが可能となる。
【０００７】
このような車両用灯具において、発光素子から投影レンズへ向かう下向きの直射光を遮光するシェードを備えた構成とすれば、例えばロービーム用配光パターンのようなカットオフラインを有する配光パターンを形成することが可能となる。
【０００８】
しかしながら、このシェードが基板やヒートシンクに支持された構成となっている場合には、光軸調整を行うことによって投影レンズとシェードとの相対的な位置関係が変化してしまうので、カットオフラインが不鮮明なものとなってしまい所期の配光パターンを形成することができなくなってしまう。
【０００９】
本願発明は、このような事情に鑑みてなされたものであって、発光素子からの直射光を投影レンズを介して灯具前方へ向けて照射するように構成された車両用灯具において、簡易な灯具構成によって光軸調整の有無にかかわらずカットオフラインを有する配光パターンを適正に形成することができる車両用灯具を提供することを目的とするものである。
【課題を解決するための手段】
【００１０】
本願発明は、シェードの支持構造に工夫を施すことにより、上記目的達成を図るようにしたものである。
【００１１】
すなわち、本願発明に係る車両用灯具は、
発光素子からの直射光を投影レンズを介して灯具前方へ向けて照射するように構成された車両用灯具において、
上記発光素子が搭載された基板を支持するヒートシンクを備えており、
上記ヒートシンクは、ランプボディに形成された開口部に取り付けられており、
上記発光素子と上記投影レンズとの間に、上記発光素子から上記投影レンズへ向かう下向きの直射光を遮光するシェードが配置されており、
上記シェードは、上記投影レンズを支持するレンズホルダと一体的に形成されており、
上記レンズホルダは、上記ヒートシンクに対して所要方向に延びる回動軸線回りに回動可能に支持されている、ことを特徴とするものである。
【００１２】
上記「ヒートシンク」は、ランプボディに形成された開口部に取り付けられていれば、その具体的な取付構造は特に限定されるものではない。
【００１３】
上記「シェード」は、レンズホルダと一体的に形成された構成となっているが、その具体的な態様としては、レンズホルダと一体成形された構成となっていてもよいし、レンズホルダにネジ締めや溶着等によって固定された構成となっていてもよい。
【００１４】
上記「所要方向」の具体的な方向は特に限定されるものではなく、例えば上下方向や左右方向等が採用可能である。
【発明の効果】
【００１５】
本願発明に係る車両用灯具においては、シェードがレンズホルダと一体的に形成されているが、このレンズホルダはランプボディに取り付けられたヒートシンクに対して所要方向に延びる回動軸線回りに回動可能に支持されているので、投影レンズとシェードとを一体的に回動させることができる。
【００１６】
このため、光軸調整を行っても投影レンズとシェードとの相対的な位置関係が変化してしまうことはなく、したがってカットオフラインを有する所期の配光パターンを光軸調整の有無にかかわらず形成することができる。
【００１７】
また、基板を介して発光素子を支持するヒートシンクの位置を固定したままの状態で、投影レンズの回動によって光軸調整を行うことができるので、灯具構成を簡素化することができる。
【００１８】
このように本願発明によれば、発光素子からの直射光を投影レンズを介して灯具前方へ向けて照射するように構成された車両用灯具において、簡易な灯具構成によって光軸調整の有無にかかわらずカットオフラインを有する配光パターンを適正に形成することができる。
【００１９】
しかも、本願発明に係る車両用灯具においては、ランプボディの開口部に取り付けられたヒートシンクが少なくともその一部を灯室外空間に露出させた状態で配置されることとなるので、発光素子の発熱に対する放熱効果を高めることができる。したがって、冷却ファン等の設置を不要とすることも可能となり、これにより車両用灯具の軽量化や奥行寸法低減を図ることも可能となる。
【００２０】
上記構成において、レンズホルダの回動軸線として、発光素子とシェードの前端縁との間における該シェードの前端縁寄りの位置を通るようにして水平方向に延びる第１回動軸線が設定された構成とすれば、レンズホルダを第１回動軸線回りに回動させたときに、発光素子から投影レンズへ向かう直射光がシェードによって遮光される量を略一定に維持することができる。そしてこれにより、上下方向の光軸調整によって配光パターンの明るさや光度分布が大きく変化してしまうのを未然に防止することができる。
【００２１】
その上で、レンズホルダの回動軸線として、この第１回動軸線と直交するようにして鉛直方向に延びる第２回動軸線が設定された構成とすれば、レンズホルダを第２回動軸線回りに回動させることによって左右方向の光軸調整を容易かつ精度良く行うことができる。
【００２２】
上記構成において、基板またはヒートシンクに、発光素子から投影レンズ以外の方向へ向かう光の一部を投影レンズへ向けて反射させるリフレクタが支持された構成とすれば、発光素子からの直射光に加えてリフレクタからの反射光も前方照射光として利用することができ、これにより配光パターンの明るさを増大させることができる。
【００２３】
上記構成において、基板における発光素子の下方位置に第２発光素子が搭載された構成とした上で、この第２発光素子が該第２発光素子からの出射光をシェードの下方空間を通して投影レンズに入射させるように配置された構成とすれば、カットオフラインを有する配光パターンの上方側に第２の配光パターンを形成することができる。
【００２４】
したがって、発光素子の点灯によってロービーム用配光パターンを形成するとともに、第２発光素子の追加点灯によってハイビーム用配光パターンを形成することができる。
【００２５】
上記構成において、基板またはヒートシンクに、第２発光素子から投影レンズ以外の方向へ向かう光の一部を投影レンズへ向けて反射させる第２リフレクタが支持された構成とすれば、第２発光素子からの直射光に加えて第２リフレクタからの反射光も前方照射光として利用することができ、これによりハイビーム用配光パターンの明るさを増大させることができる。
【図面の簡単な説明】
【００２６】
【図１】本願発明の一実施形態に係る車両用灯具を示す側断面図
【図２】上記車両用灯具を示す平断面図
【図３】上記車両用灯具の灯具ユニットを示す側断面図
【図４】図３のIV方向矢視図
【図５】上記灯具ユニットの可動側ユニットを分解した状態で示す斜視図
【図６】（ａ）は上記車両用灯具からの照射光によって形成されるロービーム用配光パターンを示す図、（ｂ）は上記実施形態の第１変形例に係る車両用灯具からの照射光によって形成されるハイビーム用配光パターンを示す図
【図７】（ａ）は上記実施形態の作用を説明するための上記灯具ユニットの要部側断面図、（ｂ）（ｃ）は比較例を示す（ａ）と同様の図
【図８】上記実施形態の第１変形例を示す、図３と同様の図
【図９】上記実施形態の第２変形例を示す、図３と同様の図
【図１０】上記実施形態の第３変形例を示す、図３と同様の図
【発明を実施するための形態】
【００２７】
以下、図面を用いて、本願発明の実施の形態について説明する。
【００２８】
図１は、本願発明の一実施形態に係る車両用灯具１０を示す側断面図であり、図２は、その平断面図である。また、図３は、車両用灯具１０の灯具ユニット２０を示す側断面図であり、図４は、そのIV方向矢視図である。
【００２９】
これらの図において、Ｘで示す方向が灯具としての「前方」（車両としても「前方」）であり、Ｙで示す方向が「前方」と直交する「左方向」（車両としても「左方向」であるが灯具正面視では「右方向」）であり、Ｚで示す方向が「上方向」である。これら以外の図においても同様である。
【００３０】
これらの図に示すように、本実施形態に係る車両用灯具１０は、車両の右前端部に設けられるロービーム照射用のヘッドランプであって、ランプボディ１２とその前端開口部に取り付けられた素通し状の透光カバー１４とで形成される灯室内に灯具ユニット２０の主要部が収容された構成となっている。また、上記灯室内には、灯具ユニット２０の灯具前方側において該灯具ユニット２０を囲むエクステンションパネル１６が配置されている。
【００３１】
灯具ユニット２０は、プロジェクタ型の灯具ユニットであって、５つの発光素子３２からの直射光を投影レンズ６２を介して灯具前方へ向けて照射するように構成されている。
【００３２】
この灯具ユニット２０は、ランプボディ１２に固定された固定側ユニット３０と、この固定側ユニット３０に対して回動可能に支持された可動側ユニット６０とを備えた構成となっており、可動側ユニット６０の回動によってその光軸調整が行われるようになっている。
【００３３】
図５は、可動側ユニット６０を分解した状態で示す斜視図である。
【００３４】
同図にも示すように、投影レンズ６２は、可動側ユニット６０の一部として構成されている。
【００３５】
この投影レンズ６２は、前面が凸面で後面が平面の平凸非球面レンズであって、可動側ユニット６０が光軸調整の基準位置にあるとき、その光軸が灯具前後方向に延びる灯具基準軸Ａｘと一致するように構成されている。そして、この投影レンズ６２は、その後側焦点Ｆを含む焦点面である後側焦点面上に形成される光源像を、反転像として灯具前方の仮想鉛直スクリーン上に投影するようになっている。
【００３６】
この投影レンズ６２は、その外周フランジ部６２ａの後面においてレンズホルダ６４に支持されている。この支持はレーザー溶着等によって行われている。
【００３７】
一方、図１〜４に示すように、５つの発光素子３２は、固定側ユニット３０の一部として構成されている。
【００３８】
５つの発光素子３２は、いずれも矩形状（例えば正方形）の発光面を有する白色発光ダイオードであって、車幅方向に並んだ状態で基板３４に搭載されている。その際、各発光素子３２は、投影レンズ６２の後側焦点Ｆよりも灯具後方側でかつ灯具基準軸Ａｘよりも上方側において、その発光面を灯具前方へ向けた状態で配置されている。
【００３９】
基板３４は、灯具基準軸Ａｘと直交する鉛直面に沿って延びるように配置されており、その前面の上端部にはコネクタ部３４ａが配置されている。
【００４０】
この基板３４は、その後面においてヒートシンク３６に支持されている。
【００４１】
この基板３４の前面には、５つの発光素子３２から投影レンズ６４以外の方向へ向かう直射光の一部を投影レンズ６４へ向けて反射させるリフレクタ５０が支持されている。このリフレクタ５０は、５つの発光素子３２とコネクタ部３４ａとの間に位置するように配置されており、その反射面５０ａは５つの発光素子３２を囲むようにして凹曲面状に形成されている。
【００４２】
ヒートシンク３６は、ランプボディ１２の後壁部に形成された開口部１２ａに取り付けられている。
【００４３】
このヒートシンク３６は、灯具基準軸Ａｘと直交する鉛直面に沿って延びる本体部３６Ａと、この本体部３６Ａの後面から灯具後方へ向けて突出する複数の放熱フィン３６Ｂとを備えており、その複数の放熱フィン３６Ｂを灯室外空間に露出させた状態で、その本体部３６Ａの外周縁部においてランプボディ１２に固定されている。
【００４４】
可動側ユニット６０は、そのレンズホルダ６４の３箇所において固定側ユニット３０のヒートシンク３６に支持されている。以下、その具体的な支持構造について説明する。
【００４５】
図１〜４に示すように、ヒートシンク３６には、灯具基準軸Ａｘを含む水平面上において、投影レンズ６２よりも右側（灯具正面視では左側）の位置にピボットピン４２の後端部が固定されるとともに、投影レンズ６２よりも左側の位置にエイミングスクリュウ４４の後端部が回動可能に支持されている。また、ヒートシンク３６において、投影レンズ６２よりも下方におけるピボットピン４２の真下の位置には、エイミングスクリュウ４６の後端部が回動可能に支持されている。
【００４６】
一方、レンズホルダ６４は、投影レンズ６２を支持する前端環状部６４Ａと、この前端環状部６４Ａから灯具後方へ向けて延びる右側脚部６４Ｂおよび左側脚部６４Ｃと、右側脚部６４Ｂの後端近傍部位から灯具基準軸Ａｘと直交する鉛直面に沿って右方向へ向けて延びる右側フランジ部６４Ｄおよび左側脚部６４Ｃの後端近傍部位から灯具基準軸Ａｘと直交する鉛直面に沿って左方向へ向けて延びる左側フランジ部６４Ｅとを備えた構成となっている。
【００４７】
図５に示すように、右側フランジ部６４Ｄの上端部には円形の開口部６４Ｄａが形成されるとともにその下端部には矩形状の開口部６４Ｄｂが形成されており、また、左側フランジ部６４Ｅの上端部には矩形状の開口部６４Ｅｂが形成されている。
【００４８】
図１〜４に示すように、レンズホルダ６４は、右側フランジ部６４Ｄの開口部６４Ｄａに装着されたスフェリカルステップベアリング７２において、ピボットピン４２の前端ピボット部に対して全方向に回動可能に係合しており、また、右側フランジ部６４Ｄの開口部６４Ｄｂに装着されたエイミングナット７６においてエイミングスクリュウ４６のネジ部と螺合するとともに左側フランジ部６４Ｅの開口部６４Ｅｂに装着されたエイミングナット７４においてエイミングスクリュウ４４のネジ部と螺合している。
【００４９】
そしてこれにより、可動側ユニット６０は、スフェリカルステップベアリング７２とピボットピン４２との係合中心位置Ａおよびエイミングナット７４とエイミングスクリュウ４４との螺合位置を通る第１回動軸線Ａｘ１を中心にして上下方向に回動し、また、係合中心位置Ａおよびエイミングナット７６とエイミングスクリュウ４６との螺合位置を通る第２回動軸線Ａｘ２を中心にして左右方向に回動するようになっている。その際、第１回動軸線Ａｘ１は、灯具基準軸Ａｘと交差するようにして水平方向に延びており、第２回動軸線Ａｘ２は鉛直方向に延びている。
【００５０】
なお、図１においては、可動側ユニット６０が光軸調整の基準位置にある状態を実線で示しており、上記基準位置から下方側に４°回動した状態を破線で示しており、上記基準位置から上方側に４°回動した状態を２点鎖線で示している。
【００５１】
５つの発光素子３２と投影レンズ６２との間には、各発光素子３２から投影レンズ６２へ向かう下向きの直射光を遮光してロービーム用配光パターンのカットオフラインを形成するためのシェード８０が配置されている。
【００５２】
このシェード８０は、一定の板厚でかつ一定の前後幅で車幅方向に延びる板状部材として構成されている。
【００５３】
このシェード８０の上面は、各発光素子３２からの直射光の一部を遮光した上で、この遮光した光を上向きに反射させる上向き反射面８０ａとして構成されている。そして、このシェード８０は、その上向き反射面８０ａで反射した光を投影レンズ６２に入射させて、これを下向き光として投影レンズ６２から出射させるようになっている。
【００５４】
このシェード８０の上向き反射面８０ａは、灯具基準軸Ａｘよりも左側（灯具正面視では右側）に位置する左側領域が灯具基準軸Ａｘを含む水平面で構成されており、灯具基準軸Ａｘよりも右側に位置する右側領域が、短い斜面を介して左側領域よりも一段低い水平面で構成されている。そして、このシェード８０は、その上向き反射面８０ａの前端縁８０ａ１が投影レンズ６２の後側焦点Ｆを通るとともに、その上向き反射面８０ａの後端縁が発光素子３２の発光面の前方斜め下近傍の位置を通るように配置されている。
【００５５】
このシェード８０は、レンズホルダ６４と一体的に形成されている。
【００５６】
具体的には、このシェード８０は、レンズホルダ６４の後端部において右側脚部６４Ｂの上面６４Ｂａと左側脚部６４Ｃの上面６４Ｃａとに架け渡された状態でレンズホルダ６４に固定されている。この固定は、シェード８０の右端部の前後２箇所において右側脚部６４Ｂにネジ８２を締め付けるとともにその左端部の前後２箇所において左側脚部６４Ｂにネジ８２を締め付けることによって行われている。これを実現するため、右側脚部６４Ｂの上面６４Ｂａの後端部の前後２箇所にはネジ穴６４Ｂａ１が形成されるとともに、左側脚部６４Ｃの上面６４Ｃａの前後２箇所にはネジ穴６４Ｃａ１が形成されており、また、シェード８０の左右両端部の前後２箇所にはネジ挿通孔８０ｂがそれぞれ形成されている。
【００５７】
レンズホルダ６４は、シェード８０の左側領域がその右側領域よりも段上がりで形成されているのに伴い、その左側脚部６４Ｃの上面６４Ｃａがその右側脚部６４Ｂの上面６４Ｂａよりも上方側に変位している。
【００５８】
レンズホルダ６４における右側脚部６４Ｂの上面６４Ｂａおよび左側脚部６４Ｃの上面６４Ｃａの後端部には、上方へ向けて突出する立壁部６４Ｂｂ、６４Ｃｂがそれぞれ形成されている。そしてシェード８０は、その左右両端部がレンズホルダ６４の右側脚部６４Ｂの上面６４Ｂａおよび左側脚部６４Ｃの上面６４Ｃａに載置されたとき、右側フランジ部６４Ｄおよび左側フランジ部６４Ｅによって車幅方向の位置決めがなされるとともに立壁部６４Ｂｂ、６４Ｃｂによって灯具前後方向の位置決めがなされるようになっている。そしてこれにより、シェード８０をレンズホルダ６４に対して容易にネジ締めし得るようになっている。
【００５９】
レンズホルダ６４は、第１回動軸線Ａｘ１が発光素子３２の発光面とシェード８０の上向き反射面８０ａの前端縁８０ａ１との間における該前端縁８０ａ１寄りの位置において灯具基準軸Ａｘ上を通るように、その右側フランジ部６４Ｄおよび左側フランジ部６４Ｅの形成位置が設定されている。
【００６０】
図６（ａ）は、車両用灯具１０からの照射光によって車両前方２５ｍの位置に配置された仮想鉛直スクリーン上に形成されるロービーム用配光パターンＰＬを透視的に示す図である。
【００６１】
このロービーム用配光パターンＰＬは、左配光のロービーム用配光パターンであって、その上端縁に左右段違いのカットオフラインＣＬ１、ＣＬ２を有している。このカットオフラインＣＬ１、ＣＬ２は、灯具正面方向の消点であるＨ−Ｖを鉛直方向に通るＶ−Ｖ線を境にして左右段違いで水平方向に延びており、Ｖ−Ｖ線よりも右側の対向車線側部分が下段カットオフラインＣＬ１として形成されるとともに、Ｖ−Ｖ線よりも左側の自車線側部分が、この下段カットオフラインＣＬ１から傾斜部を介して段上がりになった上段カットオフラインＣＬ２として形成されている。このカットオフラインＣＬ１、ＣＬ２は、シェード８０の上向き反射面８０ａの前端縁８０ａ１の反転投影像として形成されるようになっている。
【００６２】
このロービーム用配光パターンＰＬにおいて、下段カットオフラインＣＬ１とＶ−Ｖ線との交点であるエルボ点Ｅは、Ｈ−Ｖの０．５〜０．６°程度下方に位置している。
【００６３】
このロービーム用配光パターンＰＬは、２つの配光パターンＰＬ１、ＰＬ２を重畳させた合成配光パターンとして形成されるようになっている。
【００６４】
配光パターンＰＬ１は、５つの発光素子３２からの直射光（ただしシェード８０の上向き反射面８０ａでの反射光を含む）によって形成される配光パターンであって、横長の明るい配光パターンとしてロービーム用配光パターンＰＬの主要領域を構成している。
【００６５】
一方、配光パターンＰＬ２は、リフレクタ５０で反射した５つの発光素子３２からの光によって形成される配光パターンであって、配光パターンＰＬ１よりも大きい横長の配光パターンとしてロービーム用配光パターンＰＬの拡散領域を構成している。
【００６６】
本実施形態においては、固定側ユニット３０に対して可動側ユニット６０を回動させることによって灯具ユニット２０の光軸調整が行われる構成となっているが、その際、投影レンズ６２とシェード８０とが可動側ユニット６０の構成要素として一体的に回動するので、ロービーム用配光パターンＰＬは光軸調整の有無にかかわらず鮮明なカットオフラインＣＬ１、ＣＬ２を有する配光パターンのまま維持される。
【００６７】
また本実施形態においては、可動側ユニット６０の第１回動軸線Ａｘ１が、発光素子３２とシェード８０の上向き反射面８０ａの前端縁８０ａ１との間における前端縁８０ａ１寄りに位置しているので、上下方向の光軸調整によってロービーム用配光パターンＰＬの明るさや光度分布が大きく変化してしまうのが未然に防止される。
【００６８】
以下、この点について詳細に説明する。
【００６９】
図７（ａ）は、灯具ユニット２０の要部側断面図であり、図７（ｂ）、（ｃ）は、その比較例を示す同様の図である。
【００７０】
図７（ａ）においては、可動側ユニット６０が光軸調整の基準位置にあるときのシェード８０の位置を実線で示しており、上記基準位置から下方側に４°回動したときのシェード８０の位置を破線で示しており、上記基準位置から上方側に４°回動したときのシェード８０の位置を２点鎖線で示している。
【００７１】
また、図７（ａ）においては、発光素子３２の発光中心から出射した光が、シェード８０の上向き反射面８０ａの前端縁８０ａ１およびその後端縁の位置に入射して上向きに反射する際の光路を、上下方向の回動位置に対応させて、それぞれ実線、破線および２点鎖線で示している。
【００７２】
図７（ａ）に示すように、本実施形態においては、可動側ユニット６０が上下方向に回動したとき、シェード８０の上向き反射面８０ａの前端縁８０ａ１の位置（すなわち投影レンズ６２の後側焦点Ｆの位置）が上下方向に変化するが、その変化量は僅かであり、また、上下方向の回動位置が変化しても、シェード８０の上向き反射面８０ａへの入射光量はさほど大きく変化しない。これは、可動側ユニット６０の第１回動軸線Ａｘ１が、発光素子３２とシェード８０の上向き反射面８０ａの前端縁８０ａ１との間における前端縁８０ａ１寄りに位置していることによるものである。
【００７３】
一方、図７（ｂ）は、仮に可動側ユニット６０の第１回動軸線Ａｘ１がシェード８０の上向き反射面８０ａの前端縁８０ａ１に位置しているとした場合の光路図である。
【００７４】
このようにした場合には、可動側ユニット６０が上下方向に回動したとき、シェード８０の上向き反射面８０ａの前端縁８０ａ１の位置は変化しないが、その回動位置によってシェード８０の上向き反射面８０ａへの入射光量が大きく変化してしまう。
【００７５】
また、図７（ｃ）は、仮に可可動側ユニット６０の第１回動軸線Ａｘ１が発光素子３２の発光面の真下に位置しているとした場合の光路図である。
【００７６】
このようにした場合には、可動側ユニット６０が上下方向に回動しても、シェード８０の上向き反射面８０ａへの入射光量はさほど変化しないが、その回動位置によって前端縁８０ａ１の位置が上下方向に大きく変化してしまう。
【００７７】
配光パターンＰＬ１において、カットオフラインＣＬ１、ＣＬ２付近の明るさを一定に維持するためには、可動側ユニット６０が上下方向に回動しても、シェード８０の上向き反射面８０ａの前端縁８０ａ１の位置ができるだけ変化しないようにすることが好ましい。また、配光パターンＰＬ１において、その全体の明るさを一定に維持するためには、可動側ユニット６０が上下方向に回動しても、シェード８０の上向き反射面８０ａへの入射光量ができるだけ変化しないようにすることが好ましい。
【００７８】
以上の点から、本実施形態のように、可動側ユニット６０の第１回動軸線Ａｘ１が発光素子３２とシェード８０の上向き反射面８０ａの前端縁８０ａ１との間における前端縁８０ａ１寄りに位置する構成とすることが、上下方向の光軸調整によって配光パターンＰＬ１の明るさや光度分布が大きく変化してしまうのを未然に防止する観点から好ましく、ひいてはロービーム用配光パターンＰＬの明るさや光度分布が大きく変化してしまうのを未然に防止する観点から好ましい。
【００７９】
なお、ロービーム用配光パターンＰＬとして、上下方向の光軸調整にかかわらず、そのカットオフラインＣＬ１、ＣＬ２付近の明るさが一定に維持されることを重視するのであれば、図７（ｂ）に示すように、可動側ユニット６０の第１回動軸線Ａｘ１がシェード８０の上向き反射面８０ａの前端縁８０ａ１に位置する構成とすることが最も好ましい。
【００８０】
次に、本実施形態の作用効果について説明する。
【００８１】
本実施形態に係る車両用灯具１０においては、ロービーム用配光パターンＰＬを形成するための灯具ユニット２０の構成として、シェード８０がレンズホルダ６４と一体的に形成された構成となっているが、このレンズホルダ６４はランプボディ１２に取り付けられたヒートシンク３６に対して水平方向に延びる第１回動軸線Ａｘ１回りに回動可能に支持されているので、投影レンズ６２とシェード８０とを一体的に回動させることができる。
【００８２】
このため、灯具ユニット２０の光軸調整を行っても投影レンズ６２とシェード８０との相対的な位置関係が変化してしまうことはなく、したがってロービーム用配光パターンＰＬを光軸調整の有無にかかわらず適正に形成することができる。
【００８３】
また、基板３４を介して発光素子３２を支持するヒートシンク３６の位置を固定したままの状態で、投影レンズ６２の回動によって光軸調整を行うことができるので、灯具構成を簡素化することができる。
【００８４】
このように本実施形態によれば、発光素子３２からの直射光を投影レンズ６２を介して灯具前方へ向けて照射するように構成された車両用灯具１０において、簡易な灯具構成によって光軸調整の有無にかかわらずロービーム用配光パターンＰＬを適正に形成することができる。
【００８５】
しかも、本実施形態に係る車両用灯具１０においては、ランプボディ１２の開口部１２ａに取り付けられたヒートシンク３６が、その複数の放熱フィン３６Ｂを灯室外空間に露出させた状態で配置されているので、発光素子３２の発熱に対する放熱効果を高めることができる。したがって、冷却ファン等の設置を不要とすることも可能となり、これにより車両用灯具１０の軽量化や奥行寸法低減を図ることも可能となる。
【００８６】
本実施形態に係る車両用灯具１０においては、レンズホルダ６４の第１回動軸線Ａｘ１が発光素子３２とシェード８０の上向き反射面８０ａの前端縁８０ａ１との間における前端縁８０ａ１寄りに位置しているので、発光素子３２から投影レンズ６２へ向かう直射光がシェード８０によって遮光されてその上向き反射面８０ａで反射する光の量を、レンズホルダ６４の第１回動軸線Ａｘ１回りの回動位置にかかわらず略一定に維持することができる。そしてこれにより、上下方向の光軸調整によってロービーム用配光パターンＰＬの明るさや光度分布が大きく変化してしまうのを未然に防止することができる。
【００８７】
その上で本実施形態においては、レンズホルダ６４がヒートシンク３６に対して、第１回動軸線Ａｘ１と直交するようにして鉛直方向に延びる第２回動軸線Ａｘ２回りにも回動する構成となっているので、左右方向の光軸調整を容易かつ精度良く行うことができる。
【００８８】
しかも本実施形態においては、基板３４に、発光素子３２から投影レンズ６２以外の方向へ向かう光の一部を投影レンズ６２へ向けて反射させるリフレクタ５０が支持されているので、発光素子３２からの直射光に加えてリフレクタ５０からの反射光も前方照射光として利用することができ、これによりロービーム用配光パターンＰＬの明るさを増大させることができる。
【００８９】
上記実施形態においては、５つの発光素子３２を備えているものとして説明したが、これ以外の個数の発光素子３２を備えた構成とすることも可能である。
【００９０】
上記実施形態においては、シェード８０がレンズホルダ６４に対してネジ締めによって固定されているものとして説明したが、これ以外の方法（例えば溶着あるいは圧入やランス係合等）によって固定された構成とすることも可能である。
【００９１】
上記実施形態においては、リフレクタ５０が基板３４に支持されているものとして説明したが、ヒートシンク３６に支持された構成とすることも可能である。
【００９２】
上記実施形態においては、レンズホルダ６４の回動軸線として第１および第２回動軸線Ａｘ１、Ａｘ２が設定されているものとして説明したが、第１回動軸線Ａｘ１のみが設定された構成あるいは第２回動軸線Ａｘ２のみが設定された構成とすることも可能である。
【００９３】
上記実施形態においては、灯具ユニット２０がロービーム用配光パターンＰＬを形成するように構成されたものとして説明したが、フォグランプ用配光パターン等を形成するように構成されたものとすることも可能である。
【００９４】
次に、上記実施形態の変形例について説明する。
【００９５】
まず、上記実施形態の第１変形例について説明する。
【００９６】
図８は、本変形例に係る車両用灯具の灯具ユニット１２０を示す、図３と同様の図である。
【００９７】
同図に示すように、本変形例の灯具ユニット１２０の基本的な構成は上記実施形態の場合と同様であるが、ハイビーム用配光パターンを形成するための機能が追加されている点で上記実施形態の場合と異なっており、またこれに伴って、可動側ユニット１６０におけるシェード１８０の構成が上記実施形態の場合と一部異なっている。
【００９８】
すなわち、本変形例の灯具ユニット１２０は、その固定側ユニット１３０の構成として、基板３４における発光素子３２の下方位置に複数の（例えば３つの）第２発光素子１５２が搭載された構成となっている。
【００９９】
これら複数の第２発光素子１５２は、いずれも矩形状の発光面を有する白色発光ダイオードであって、シェード１８０の下方近傍においてその発光面を灯具前方へ向けた状態で配置されており、該第２発光素子１５２からの出射光をシェード１８０の下方空間を通して投影レンズ６２に入射させるようになっている。
【０１００】
本変形例のシェード１８０は、上記実施形態のシェード８０と同様、一定の前後幅で車幅方向に延びる板状部材として構成されており、その左右両端部においてレンズホルダ６４にネジ締め固定されているが、その左右両端部以外の中間部分は楔状の鉛直断面形状を有している。
【０１０１】
具体的には、このシェード１８０の下面は、その中間部分においては、上向き反射面１８０ａの前端縁１８０ａ１から灯具後方へ向けて斜め下方に延びるように形成されている。そして、この下面は、各第２発光素子１５２からの直射光の一部を遮光した上で、この遮光した光を下向きに反射させる下向き反射面１８０ｃとして構成されている。そして、このシェード１８０は、その下向き反射面１８０ｃで反射した光を投影レンズ６２に入射させるようになっている。
【０１０２】
また、本変形例の固定側ユニット１３０においては、その基板３４の前面に、複数の第２発光素子１５２から投影レンズ６２以外の方向へ向かう光の一部を投影レンズ６２へ向けて反射させる第２リフレクタ１５４が支持されている。この第２リフレクタ１５４は、複数の第２発光素子１５２の下方側に配置されており、その反射面１５４ａは複数の第２発光素子１５２を囲むようにして凹曲面状に形成されている。
【０１０３】
図６（ｂ）は、灯具ユニット１２０を備えた車両用灯具からの照射光によって車両前方２５ｍの位置に配置された仮想鉛直スクリーン上に形成されるハイビーム用配光パターンＰＨを透視的に示す図である。
【０１０４】
このハイビーム用配光パターンＰＨは、５つの発光素子３２の点灯によって形成される配光パターンＰＬ１、ＰＬ２と複数の第２発光素子１５２の点灯によって形成される第２の配光パターンＰＨ１、ＰＨ２とを重畳させた合成配光パターンとして形成されるようになっている。
【０１０５】
配光パターンＰＬ１、ＰＬ２については、図６（ａ）に示すロービーム用配光パターンＰＬを構成する配光パターンＰＬ１、ＰＬ２と同様である。
【０１０６】
第２の配光パターンＰＨ１は、複数の第２発光素子１５２からの直射光（ただしシェード１８０の下向き反射面１８０ｃでの反射光を含む）によって形成される配光パターンであって、横長の明るい配光パターンとして配光パターンＰＬ１と共にハイビーム用配光パターンＰＨの主要領域を構成している。
【０１０７】
一方、第２の配光パターンＰＨ２は、リフレクタ１５４で反射した複数の第２発光素子１５２からの光によって形成される配光パターンであって、第２の配光パターンＰＨ１よりも大きい横長の配光パターンとして配光パターンＰＬ２と共にハイビーム用配光パターンＰＨの拡散領域を構成している。
【０１０８】
第２の配光パターンＰＨ１、ＰＨ２は、カットオフラインＣＬ１、ＣＬ２の位置において配光パターンＰＬ１、ＰＬ２と連続的に形成されている。これは、シェード１８０の下面の中間部分が上向き反射面１８０ａの前端縁１８０ａ１から灯具後方へ向けて斜め下方に延びていることによるものである。
【０１０９】
本変形例の構成を採用することにより、ロービーム用配光パターンＰＬの上方側に第２の配光パターンＰＨ１、ＰＨ２を形成することができる。
【０１１０】
したがって、５つの発光素子３２の点灯によってロービーム用配光パターンＰＬを形成するとともに、複数の第２発光素子１５２の追加点灯によってハイビーム用配光パターンＰＨを形成することができる。
【０１１１】
その際、本変形例のシェード１８０は、その下面の中間部分が上向き反射面１８０ａの前端縁１８０ａ１から灯具後方へ向けて斜め下方に延びているので、第２の配光パターンＰＨ１、ＰＨ２をカットオフラインＣＬ１、ＣＬ２の位置において配光パターンＰＬ１、ＰＬ２と連続的に形成することができ、これによりハイビーム用配光パターンＰＨを暗部のない配光パターンとして形成することができる。しかも、このシェード１８０の下面の中間部分は下向き反射面１８０ｃとして形成されているので、第２の配光パターンＰＨ１、ＰＨ２のカットオフラインＣＬ１、ＣＬ２付近の明るさを十分に確保することができる。
【０１１２】
また本変形例においては、複数の第２発光素子１３２からの直射光に加えて第２リフレクタ１５４からの反射光も前方照射光として利用するようになっているので、これによりハイビーム用配光パターンＰＨの明るさを増大させることができる。
【０１１３】
上記第１変形例においては、第２リフレクタ１５４が基板３４に支持されているものとして説明したが、ヒートシンク３６に支持された構成とすることも可能である。
【０１１４】
次に、上記実施形態の第２変形例について説明する。
【０１１５】
図９は、本変形例に係る車両用灯具の灯具ユニット２２０を示す、図３と同様の図である。
【０１１６】
同図に示すように、本変形例の灯具ユニット２２０の基本的な構成は上記実施形態の場合と同様であるが、その可動側ユニット２６０の構成が上記実施形態の場合と一部異なっている。
【０１１７】
すなわち、本変形例の可動側ユニット２６０は、上記実施形態のシェード８０に対応するシェード２６４Ｆがレンズホルダ２６４と一体成形された構成となっている。
【０１１８】
シェード２６４Ｆは、上記実施形態のシェード８０と同一の形状で同一の位置に配置されているが、その左右両端部においてレンズホルダ２６４に接続されている。
【０１１９】
レンズホルダ２６４の前端環状部２６４Ａ、右側脚部２６４Ｂおよび右側フランジ部２６４Ｄの構成は、上記実施形態のレンズホルダ６４の場合と同様であるが、右側脚部２６４Ｂの上面２６４Ｂａがシェード２６４Ｆの右端部の上面と面一で形成されている。
【０１２０】
レンズホルダ２６４の図示しない左側脚部および左側フランジ部の構成についても同様である。
【０１２１】
本変形例の構成を採用した場合においても、上記実施形態の場合と同様の作用効果を得ることができる。
【０１２２】
また、本変形例の構成を採用することにより、可動側ユニット２６０の構成簡素化を図ることができ、また、投影レンズ６２とシェード２６４Ｆとの位置関係精度を高めることができる。
【０１２３】
次に、上記実施形態の第３変形例について説明する。
【０１２４】
図１０は、本変形例に係る車両用灯具の灯具ユニット３２０を示す、図３と同様の図である。
【０１２５】
同図に示すように、本変形例の灯具ユニット３２０の基本的な構成は上記実施形態の場合と同様であるが、その可動側ユニット３６０の構成が上記実施形態の場合と一部異なっている。
【０１２６】
すなわち、本変形例の可動側ユニット３６０においては、上記実施形態のシェード８０に対応するシェード３８０が、灯具基準軸Ａｘと直交する鉛直面に沿って延びる立壁状の部材として構成されている。
【０１２７】
このシェード３８０の上端面３８０ａは、上記実施形態のシェード８０の上向き反射面８０ａと同様、左右段違いで形成されており、その前端縁３８０ａ１は投影レンズ６２の後側焦点Ｆを通るようにして車幅方向に延びている。ただし、このシェード３８０の上端面３８０ａは、反射面としては構成されていない。
【０１２８】
このシェード３８０は、レンズホルダ３６４の後端部において該レンズホルダ３６４に固定されている。この固定は、シェード３８０の右端部においてレンズホルダ３６４の右側脚部３６４Ｂにネジ３８２を締め付けるとともにその左端部においてレンズホルダ３６４の左側脚部（図示せず）にネジ（図示せず）を締め付けることによって行われている。
【０１２９】
本変形例においては、可動側ユニット３６０の第１回動軸線Ａｘ１がシェード３８０の上端面３８０ａの前端縁３８０ａ１に位置している。
【０１３０】
このため、レンズホルダ３６４は、その右側脚部２６４Ｂ（および図示しない左側脚部）の前後長が上記実施形態の場合よりも短くなっており、右側フランジ部３６４Ｄ（および図示しない左側フランジ部）が上記実施形態の場合よりも灯具前方側に変位している。
【０１３１】
本変形例の構成を採用した場合においても、上記実施形態の場合と同様の作用効果を得ることができる。
【０１３２】
また、本変形例の構成を採用した場合には、シェード３８０の上端面３８０ａからの反射光は得られないので、その分だけ配光パターンＰＬ１（図６（ａ）参照）の明るさが減少するが、可動側ユニット３６０の第１回動軸線Ａｘ１がシェード３８０の上端面３８０ａの前端縁３８０ａ１に位置しているので、可動側ユニット３６０が上下方向に回動してもシェード３８０による遮光量は変化せず、これにより配光パターンＰＬ１の明るさや光度分布を一定に維持することができる。このためロービーム用配光パターンＰＬとしても、その明るさや光度分布がほとんど変化しないようすることができる。
【０１３３】
しかも、本変形例の構成を採用することにより、車両用灯具の奥行寸法をさらに短くすることができる。
した場合には、
上記第３変形例においては、シェード３８０がレンズホルダ３６４にネジ締め固定されているものとして説明したが、シェード３８０がレンズホルダ３６４と一体成形された構成とすることも可能である。
【０１３４】
なお、上記実施形態およびその変形例において諸元として示した数値は一例にすぎず、これらを適宜異なる値に設定してもよいことはもちろんである。
【０１３５】
また、本願発明は、上記実施形態およびその変形例に記載された構成に限定されるものではなく、これ以外の種々の変更を加えた構成が採用可能である。
【符号の説明】
【０１３６】
１０  車両用灯具
１２  ランプボディ
１２ａ  開口部
１４  透光カバー
１６  エクステンションパネル
２０、１２０、２２０、３２０  灯具ユニット
３０、１３０  固定側ユニット
３２  発光素子
３４  基板
３４ａ  コネクタ部
３６  ヒートシンク
３６Ａ  本体部
３６Ｂ  放熱フィン
４２  ピボットピン
４４、４６  エイミングスクリュウ
５０  リフレクタ
５０ａ、１５４ａ  反射面
６０、１６０、２６０、３６０  可動側ユニット
６２  投影レンズ
６２ａ  外周フランジ部
６４、２６４、３６４  レンズホルダ
６４Ａ、２６４Ａ  前端環状部
６４Ｂ、２６４Ｂ、３６４Ｂ  右側脚部
６４Ｂａ、６４Ｃａ、２６４Ｂａ  上面
６４Ｂａ１、６４Ｃａ１  ネジ穴
６４Ｂｂ、６４Ｃｂ  立壁部
６４Ｃ  左側脚部
６４Ｄ、２６４Ｄ、３６４Ｄ  右側フランジ部
６４Ｄａ、６４Ｄｂ、６４Ｅｂ  開口部
６４Ｅ  左側フランジ部
７２  スフェリカルステップベアリング
７４、７６  エイミングナット
８０、１８０、２６４Ｆ、３８０  シェード
８０ａ、１８０ａ  上向き反射面
８０ａ１、１８０ａ１、３８０ａ１  前端縁
８０ｂ  ネジ挿通孔
８２、３８２  ネジ
１５２  第２発光素子
１５４  第２リフレクタ
１８０ｃ  下向き反射面
３８０ａ  上端面
Ａ  係合中心位置
Ａｘ  灯具基準軸
Ａｘ１  第１回動軸線
Ａｘ２  第２回動軸線
ＣＬ１  下段カットオフライン
ＣＬ２  上段カットオフライン
Ｅ  エルボ点
Ｆ  後側焦点
ＰＨ  ハイビーム用配光パターン
ＰＨ１、ＰＨ２  第２の配光パターン
ＰＬ  ロービーム用配光パターン
ＰＬ１、ＰＬ２  配光パターン
【図１】
2019207774.tif 000003
【図２】
2019207774.tif 000004
【図３】
2019207774.tif 000005
【図４】
2019207774.tif 000006
【図５】
2019207774.tif 000007
【図６】
2019207774.tif 000008
【図７】
2019207774.tif 000009
【図８】
2019207774.tif 000010
【図９】
2019207774.tif 000011
【図１０】
2019207774.tif 000012